(57)【要約】【課題】防塵性に優れたマイクロスイッチ及び操作装置を提供する。【解決手段】マウス等の操作装置には、マイクロスイッチ２が収容されている。マイクロスイッチ２は、電気回路を開閉する接点機構２３を収容する接点室２４と、接点室２４を収容する筐体２０と、筐体２０の外部からの押圧を受け付ける押下部材２１とを備え、押下部材２１は、接点室２４に開設されている挿通孔２５０に挿通して接点機構２３に作用する挿通部２１３を有し、挿通部２１３は、外部からの押圧状況に応じて移動する。押下部材２１は、挿通孔２５０を遮蔽する遮蔽部２１０を有し、遮蔽部２１０は、挿通方向からの形状が、挿通孔２５０を覆うように形成されている。【選択図】図３
2019139944.tif 000002
【特許請求の範囲】
【請求項１】
電気回路を開閉する接点機構を収容する接点室と、前記接点室を収容する筐体と、前記筐体の外部からの押圧を受け付ける押下部材とを備え、前記押下部材は、前記接点室に開設されている挿通孔に挿通して前記接点機構に作用する挿通部を有し、前記挿通部は、外部からの押圧状況に応じて外側の第１位置及び内側の第２位置の間で移動するマイクロスイッチであって、
前記押下部材は、
前記挿通孔に対して接点室と反対側に、前記挿通孔を遮蔽する遮蔽部を有し、
前記遮蔽部は、挿通方向からの形状が、前記挿通孔を覆うように形成されている
ことを特徴とするマイクロスイッチ。
【請求項２】
請求項１に記載のマイクロスイッチであって、
前記筐体は、前記押下部材の移動に伴い前記遮蔽部が移動可能に挿嵌する挿嵌口が開設されており、
前記挿嵌口に近接する前記遮蔽部の縁部の内端は、前記押下部材が第１位置に位置する場合に、挿嵌口より内部側に位置する
ことを特徴とするマイクロスイッチ。
【請求項３】
請求項１又は請求項２に記載のマイクロスイッチであって、
前記遮蔽部は、板状をなし、
前記遮蔽部の縁部には、内側に向けて突出する外壁部が形成されている
ことを特徴とするマイクロスイッチ。
【請求項４】
請求項１乃至請求項３のいずれか１項に記載のマイクロスイッチであって、
前記挿通孔の周囲に外側に向けて突出する内壁部が形成されている
ことを特徴とするマイクロスイッチ。
【請求項５】
請求項２又は請求項３のいずれか１項に記載のマイクロスイッチであって、
前記挿通孔の周囲に外側に向けて突出する内壁部が形成されており、
前記内壁部の挿通方向の長さは、前記挿嵌口と前記遮蔽部の縁部との間隙より長い
ことを特徴とするマイクロスイッチ。
【請求項６】
外部からの押下操作を受け付ける押下操作部と、
前記押下操作部が受け付けた押下操作を外部からの押圧として伝達される請求項１乃至請求項５のいずれか１項に記載のマイクロスイッチと
を備え、
前記マイクロスイッチが備える接点機構の動作に基づく信号を出力する
ことを特徴とする操作装置。
【発明の詳細な説明】
【技術分野】
【０００１】
本発明は、外部からの押圧を受けて電気回路を開閉するマイクロスイッチ、及びそのようなマイクロスイッチを用いた操作装置に関する。
【背景技術】
【０００２】
電子機器等の装置に用いられるマイクロスイッチが普及している。例えば、特許文献１では、カバーの外側に突出し、カバーを装着した状態で押圧可能な押しボタンを有するマイクロスイッチが開示されている。特許文献１に開示されたマイクロスイッチは、押しボタンが押圧されていない状態であるとき、共通接点端子と常閉接点端子とが可動接触片により導通し、押しボタンを押圧することにより、共通接点端子と常開接点端子とが可動接触片により導通する。
【先行技術文献】
【特許文献】
【０００３】
【特許文献１】特開２０１７−１６８０７号公報
【発明の概要】
【発明が解決しようとする課題】
【０００４】
特許文献１に開示されたマイクロスイッチは、外形サイズを大型化させることなく、寿命を延ばすことが可能であるという効果を奏する。
【０００５】
しかしながら、本件発明者は、カバーの外側に押しボタンが突出したマイクロスイッチでは、マイクロスイッチとカバーとの隙間から異物が入り込む僅かな可能性を見出し、隙間から入り込んだ異物が、可動接触片、共通接点端子、常閉接点端子及び常開接点端子に影響する可能性があることを懸念した。
【０００６】
本発明は斯かる事情に鑑みてなされたものであり、隙間から入り込む異物による影響を抑制することが可能なマイクロスイッチの提供を目的とする。
【０００７】
また、本発明は、そのようなマイクロスイッチを用いた操作装置の提供を他の目的とする。
【課題を解決するための手段】
【０００８】
上記課題を解決するため、本願記載のマイクロスイッチは、電気回路を開閉する接点機構を収容する接点室と、前記接点室を収容する筐体と、前記筐体の外部からの押圧を受け付ける押下部材とを備え、前記押下部材は、前記接点室に開設されている挿通孔に挿通して前記接点機構に作用する挿通部を有し、前記挿通部は、外部からの押圧状況に応じて外側の第１位置及び内側の第２位置の間で移動するマイクロスイッチであって、前記押下部材は、前記挿通孔に対して接点室と反対側に、前記挿通孔を遮蔽する遮蔽部を有し、前記遮蔽部は、挿通方向からの形状が、前記挿通孔を覆うように形成されていることを特徴とする。
【０００９】
また、前記マイクロスイッチにおいて、前記筐体は、前記押下部材の移動に伴い前記遮蔽部が移動可能に挿嵌する挿嵌口が開設されており、前記挿嵌口に近接する前記遮蔽部の縁部の内端は、前記押下部材が第１位置に位置する場合に、挿嵌口より内部側に位置することを特徴とする。
【００１０】
また、前記マイクロスイッチにおいて、前記遮蔽部は、板状をなし、前記遮蔽部の縁部には、内側に向けて突出する外壁部が形成されていることを特徴とする。
【００１１】
また、前記マイクロスイッチにおいて、前記挿通孔の周囲に外側に向けて突出する内壁部が形成されていることを特徴とする。
【００１２】
また、前記マイクロスイッチにおいて、前記挿通孔の周囲に外側に向けて突出する内壁部が形成されており、前記内壁部の挿通方向の長さは、前記挿嵌口と前記遮蔽部の縁部との間隙より長いことを特徴とする。
【００１３】
更に、本願記載の操作装置は、外部からの押下操作を受け付ける押下操作部と、前記押下操作部が受け付けた押下操作を外部からの押圧として伝達される前記マイクロスイッチとを備え、前記マイクロスイッチが備える接点機構の動作に基づく信号を出力することを特徴とする。
【００１４】
本願記載のマイクロスイッチ及び操作装置は、異物が接点室内に容易に進入することを防止する。
【発明の効果】
【００１５】
本発明に係るスイッチ装置及び操作装置は、接点室に開設されている挿通孔に挿通される挿通部を備え、外部からの押圧を受け付ける押下部材に、挿通孔を遮蔽する遮蔽部を形成する。これにより、異物から挿通孔を遮蔽し、異物による影響の発生を抑制する等、優れた効果を奏する。
【図面の簡単な説明】
【００１６】
【図１】本願記載の操作装置の外観の一例を示す概略斜視図である。
【図２】本願記載のマイクロスイッチの外観の一例を示す概略斜視図である。
【図３】本願記載のマイクロスイッチの断面及び外観の一例を示す概略斜視断面図である。
【図４】本願記載のマイクロスイッチの断面の一例を示す概略断面図である。
【図５】本願記載のマイクロスイッチの断面の一部の例を拡大して示す概略拡大断面図である。
【図６】本願記載のマイクロスイッチの断面及び外観の一例を示す概略斜視断面図である。
【図７】本願記載のマイクロスイッチの断面の一例を示す概略断面図である。
【図８】本願記載のマイクロスイッチの断面及び外観の一例を示す概略斜視断面図である。
【図９】本願記載のマイクロスイッチの断面の一例を示す概略断面図である。
【図１０】本願記載のマイクロスイッチの断面及び外観の一例を示す概略斜視断面図である。
【図１１】本願記載のマイクロスイッチの断面の一例を示す概略断面図である。
【発明を実施するための形態】
【００１７】
以下、本発明の実施形態について図面を参照しながら説明する。
【００１８】
＜適用例＞
本願記載の操作装置は、例えば、パーソナルコンピュータ（以下、パソコンという）の操作に用いられるマウス等の操作装置として用いられる。また、本願記載のマイクロスイッチは、操作装置を含む様々な電子機器等の装置に用いられる。以下では、図面を参照しながら図面に例示された操作装置１及びマイクロスイッチ２について説明する。
【００１９】
＜操作装置１＞
まず、操作装置１について説明する。図１は、本願記載の操作装置１の外観の一例を示す概略斜視図である。図１は、本願記載の操作装置１を、パソコン等の電子機器の操作に用いるマウスに適用した例を示している。操作装置１は、操作者の指にて押下する操作を受け付けるマウスボタン等の押下操作部１０、操作者の指にて回動する操作を受け付けるマウスホイール等の回動操作部１１を備えている。なお、回動操作部１１は、回動操作だけでなく、押下操作をも受け付けるように構成されており、押下操作部１０としても機能する。また、操作装置１には、パソコン等の外部の機器に電気信号を出力する信号線１２が接続されている。なお、操作装置１は、信号線１２を用いた有線通信に限らず、無線通信等の様々な通信方法により電気信号を出力することが可能である。
【００２０】
操作装置１の内部には、各押下操作部１０及び回動操作部１１毎に、後述するマイクロスイッチ２が収容されており、押下操作部１０に対して押下操作をした場合、押下操作部１０の内部の部位が、対応するマイクロスイッチ２を押圧する。マイクロスイッチ２は、押圧状況に基づく信号を信号線１２から外部のパソコン等の電子機器へ出力する。
【００２１】
即ち、本願記載の操作装置１は、外部からの押下操作を受け付ける押下操作部１０と、回動操作等の操作を受け付ける回動操作部１１とを備え、更に内部にマイクロスイッチ２を備えている。そして、操作装置１は、押下操作部１０及び／又は回動操作部１１が受け付けた押下操作を外部からの押圧としてマイクロスイッチ２に伝達し、マイクロスイッチ２の動作に基づく信号を外部の電子機器へ出力する。
【００２２】
＜マイクロスイッチ２＞
次に、マイクロスイッチ２について説明する。本願では、マイクロスイッチ２の実施形態として複数の形態を例示して説明する。
【００２３】
＜第１実施形態＞
図２は、本願記載のマイクロスイッチ２の外観の一例を示す概略斜視図である。図２は、第１実施形態に係るマイクロスイッチ２を例示している。なお、本願明細書において、マイクロスイッチ２の方向については、図２に向かって左手前側を前、右奥側を後、上方を上、下方を下として表現するが、説明の便宜上の方向であり、マイクロスイッチ２の組込方向を限定するものではない。前述のようにマイクロスイッチ２は、操作装置１等の電子機器の内部に収容され、操作装置１の押下操作部１０等の部位が受け付けた押下操作を外部からの押圧として受け付ける。
【００２４】
マイクロスイッチ２は、略直方体状をなす筐体２０を備えている。筐体２０は、下部のベース及び上部のカバーにて形成されている。正面視で筐体２０の中心から左側へ横方向の１／４程度の長さの位置にかけて、筐体２０の上面が開放された挿嵌口２００が上方に向けて開設されている。そして、筐体２０の上面の挿嵌口２００には、筐体２０の外部からの押圧を受け付けて上下に移動する押下部材２１が挿嵌している。なお、本願において、筐体２０の挿嵌口２００とは、押下部材２１を嵌め込む入口部分を示し、図２に示す例では、押下部材２１を嵌め込む箇所の周囲の縁の部分である。また、筐体２０の下面からは、他の電気部材を接続可能な金属片である３本の接続端子部２２が突出している。
【００２５】
筐体２０において、挿嵌口２００が開設された上面の部位から連続する前後の面には、押下部材２１の上下の移動を案内する案内溝２０１が刻設されている。押下部材２１の上面は、挿嵌口２００に対して若干の間隙を開けて挿嵌し、筐体２０内を異物から遮蔽する板状の遮蔽部２１０となっている。また、押下部材２１の前面及び後面は、筐体２０の案内溝２０１に対して若干の間隙を開けて嵌合し、案内溝２０１に案内される嵌合板２１１となっている。
【００２６】
押下部材２１の嵌合板２１１の下端には、左右に突出する規制突起２１２が突設されている。また、筐体２０の案内溝２０１の下端は、左右方向の幅が広い規制溝２０２となっている。規制溝２０２の左右方向の長さは、規制突起２１２を含む押下部材２１の下端の左右方向の長さより、若干長くなっており、また、規制溝２０２の上下方向の高さは、規制突起２１２の上下方向の高さの２倍程度の高さとなっている。従って、筐体２０の規制溝２０２に、押下部材２１の規制突起２１２が係合することにより、押下部材２１の上下方向の移動が規制される。
【００２７】
更に、押下部材２１の遮蔽部２１０の上面には、前後方向に隆起した一条の被押圧突起２１０ａが突設されており、被押圧突起２１０ａは、外部からの押圧を受け付ける。
【００２８】
このように形成されたマイクロスイッチ２では、操作装置１が受け付けた外部からの押下操作が、筐体２０の外部からの押圧として、被押圧突起２１０ａを介して押下部材２１に伝達される。押下部材２１は、外部からの押圧を受けて、筐体２０の内側となる下側へ移動し、外部からの押圧が開放されると、筐体２０の外側となる上側へ移動する。即ち、押下部材２１は、外部からの押圧状況に応じて上側（筐体２０の外側）の第１位置及び下側（筐体２０の内側）の第２位置の間で、押下部材２１の嵌合板２１１が筐体２０の案内溝２０１に案内されて移動する。上限となる第１位置及び下限となる第２位置は、筐体２０の規制溝２０２及び押下部材２１の規制突起２１２の係合による規制にて決定される。
【００２９】
次にマイクロスイッチ２の内部構造について説明する。図３は、本願記載のマイクロスイッチ２の断面及び外観の一例を示す概略斜視断面図である。図４は、本願記載のマイクロスイッチ２の断面の一例を示す概略断面図である。図３及び図４は、第１実施形態に係るマイクロスイッチ２を例示しており、図２に示すＡ−Ｂ線分を含む垂直面で切断した断面を矢印方向に向かって示している。なお、図３は、図２と同様の方向からの視点で示しており、図４は、正面からの視点で示している。
【００３０】
マイクロスイッチ２の筐体２０内には、スイッチとして電気回路を開閉する接点機構２３を収容する接点室２４としての領域が確保されている。接点室２４の上方には、押下部材２１が上下に移動するための領域が押下室２５として確保されている。また、押下室２５の底面には、押下部材２１が挿通する挿通孔２５０が開設されており、挿通孔２５０により、押下室２５の底面及び接点室２４の上面は貫通している。
【００３１】
押下室２５内において、底面に開設された挿通孔２５０の周囲には、上側（筐体２０の外側）に向けて突出する内壁部２５１が形成されており、内壁部２５１により挿通孔２５０の周囲が囲われている。内壁部２５１の高さ、即ち、内壁部２５１の挿通方向の長さは、挿嵌口２００と遮蔽部２１０の縁部との間隙より長くなるように形成されている。
【００３２】
押下室２５内で上下に移動する押下部材２１の下部は、挿通孔２５０に挿通する挿通部２１３として形成されており、挿通部２１３の下端（筐体２０内に向かう内端）は、挿通孔２５０を挿通して接点室２４内に達している。挿通部２１３は、挿通孔２５０に対して若干の間隙を開けて挿嵌しているため、押下部材２１は、挿通部２１３を挿通孔２５０に挿通した状態を維持しながら上下動が可能である。押下部材２１の挿通部２１３は、押下部材２１の上下動を接点室２４内に伝達し、接点室２４内の接点機構２３に作用する。
【００３３】
前述のように、押下部材２１の上部には、挿嵌口２００に対して若干の間隙を開けて挿嵌する板状の遮蔽部２１０が形成されている。また、押下部材２１において、挿嵌口２００に近接する遮蔽部２１０の縁部には、下側（筐体２０の内側）に向けて突出する外壁部２１０ｂが形成されている。
【００３４】
このように形成された押下部材２１の断面形状は、上部で水平方向に長い遮蔽部２１０と、下方へ延びる挿通部２１３とにより、略Ｔ字状に形成されている。また、押下部材２１は、挿通孔２５０に対して接点室２４と反対側となる上部に、挿通孔２５０を遮蔽する遮蔽部２１０を有している。遮蔽部２１０は、上方からの視点、即ち、挿通部２１３の挿通方向からの形状が、挿通孔２５０より大きい面積で挿通孔２５０を覆うように形成されている。従って、マイクロスイッチ２を上方からの視点で視認した場合、挿通孔２５０は露出しておらず、遮蔽部２１０により遮蔽されている。筐体２０内において、押下室２５内の底面には挿通孔２５０が開設されており、押下室２５の上方は開放された挿嵌口２００となっている。挿嵌口２００には押下部材２１が挿嵌するため、挿通孔２５０が開設された押下室２５は、若干の間隙を開けて遮蔽部２１０により閉じられる。挿通孔２５０は、押下室２５の底面の略中央に開設されているため、遮蔽部２１０は挿通孔２５０を覆うことになる。
【００３５】
接点室２４内に収容された接点機構２３について説明する。接点室２４内には、接点機構２３として、共通接点端子２３０、第１接点端子２３１、第２接点端子２３２、可動接触片２３３等の部材が配設されている。共通接点端子２３０は、接点室２４内の左側に配設されており、左側の接続端子部２２と電気的に接続されている。第１接点端子２３１は、接点室２４内の右上側に配設されており、右側の接続端子部２２と電気的に接続されている。第２接点端子２３２は、接点室２４内の右下側に配設されており、中央の接続端子部２２と電気的に接続されている。
【００３６】
可動接触片２３３は、接点室２４内において、左右方向に延びる板状の導電性金属部材である。可動接点の左端は、共通接点端子２３０に係止された固定端となっている。可動接点の右端は、第１接点端子２３１及び第２接点端子２３２の間で移動する自由端となっている。なお、可動接触片２３３は、中央付近が打ち抜かれ円弧状に折り曲げられた復帰バネとして形成されており、復帰バネは、接点室２４内に固定されている。
【００３７】
このように構成された接点機構２３は、押下部材２１が押圧されることにより、挿通部２１３が下方へ移動し、可動接触片２３３を押下する。可動接触片２３３が押下されることにより、可動接触片２３３の自由端である右端側が下がり、第２接点端子２３２に接触する。これにより、共通接点端子２３０に接続された左側の接続端子部２２と、第２接点端子２３２に接続された中央の接続端子部２２とが導通状態となる。
【００３８】
押下部材２１の押圧が解除されると、復帰バネにより可動接触片２３３は上側へ付勢される。可動接触片２３３が上側に付勢されることにより、挿通部２１３（押下部材２１）が上方へ移動する。また、復帰バネにより可動接触片２３３が上側へ付勢されることにより、可動接触片２３３の自由端である右端側が上がり、第１接点端子２３１に接触する。これにより、共通接点端子２３０に接続された左側の接続端子部２２と、第１接点端子２３１に接続された右側の接続端子部２２とが導通状態となる。
【００３９】
なお、図面では、押下部材２１が押圧されていない状態を図示しているが、各部材を認識し易くするために、第１接点端子２３１と可動接触片２３３とを若干離して記載している。ただし、本来、押下部材２１が押圧されていない状態では、第１接点端子２３１と可動接触片２３３とは接触状態にある。
【００４０】
本願で例示した接点機構２３は、様々な形態に展開可能な本願記載のマイクロスイッチ２の一形態を例示したに過ぎない。本願のマイクロスイッチ２には、挿通部２１３の押下により回路が開閉、接離する様々な接点機構２３を適用することが可能である。例えば、本願出願人が開示する特開２０１７−１６８０７号公報に記載された機構等、様々な技術を適用することが可能である。
【００４１】
以上のように構成された本願記載の第１実施形態に係るマイクロスイッチ２の機能について説明する。図５は、本願記載のマイクロスイッチ２の断面の一部の例を拡大して示す概略拡大断面図である。図５は、マイクロスイッチ２の押下室２５を中心に拡大した断面であり、押下部材２１の位置及び他の部材との関係を認識し易いように模式的に示している。図５（ａ）は、押下部材２１が外部から押圧を受けておらず上側の第１位置にいる状態を示しており、図５（ｂ）は、押下部材２１が外部から押圧されて下側の第２位置にいる状態を示している。
【００４２】
本願記載のマイクロスイッチ２を備えるマウス等の操作装置１は、構造上、隙間が生じる場合がある。仮に、操作装置１の隙間から糸屑等の異物が入り込んだとしても、マイクロスイッチ２は、筐体２０により保護されており、接点室２４は筐体２０内に収容されているので、接点室２４内にまで異物が侵入することは容易ではない。即ち、接点室２４は、閉じられた構造となっており、接点室２４内の部材に異物が付着することによる接触不良等の不具合の発生を抑制している。以下では、操作装置１内に異物が入り込んだ状況を仮定して、異物が接点室２４に侵入するまでの経路を想定しながら、マイクロスイッチ２の防塵機能について説明する。
【００４３】
接点室２４の上部には、押下部材２１の挿通部２１３が挿通する挿通孔２５０が開設されているが、図５等に示すように、押下部材２１の遮蔽部２１０に遮蔽されているため、挿通部２１３と挿通孔２５０との間の若干の間隙から接点室２４内に異物が進入することは容易ではない。
【００４４】
また、図５に例示するように、筐体２０の挿嵌口２００に近接する遮蔽部２１０の左右方向の縁部には、下方（筐体２０の内側）へ向けて突出する外壁部２１０ｂが形成されているため、図５（ａ）に示すように、押下部材２１が上側の第１位置に位置する場合でも、外壁部２１０ｂの下端は、筐体２０の上面となる挿嵌口２００より、低い位置に位置している。即ち、挿嵌口２００に近接する遮蔽部２１０の縁部の下端（筐体２０の内側の先端となる内端）は、押下部材２１が第１位置に位置する場合に、挿嵌口２００より下側（筐体２０の内部側）に位置する。これにより、押下部材２１が上昇した場合でも、遮蔽部２１０の下端が挿嵌口２００より上に上がることはなく、筐体２０の上面に付着した異物が、遮蔽部２１０の下方を通って、押下室２５内に入り込むことを防止している。
【００４５】
更に、図５（ｂ）に示すように、押下部材２１が下側の第２位置に位置する場合、外壁部２１０ｂの下端（筐体２０に対して内端）は、押下室２５内の底面近傍まで下がる。押下部材２１が下側の第２位置に位置する場合でも、筐体２０の上面に対し、遮蔽部２１０の上面の位置は、同等又は上側に位置するため、筐体２０の上面に窪みが生じて異物が留まることがない。
【００４６】
仮に、押下部材２１と筐体２０との隙間から押下室２５内に異物が入り込んだとしても、挿通孔２５０の周囲には内壁部２５１が形成されているので、押下室２５内に入り込んだ異物が、内壁部２５１を乗り越えて、挿通部２１３と挿通孔２５０との間の隙間から接点室２４内に進入することは容易ではない。
【００４７】
なお、接点室２４内に進入することにより異常の発生を引き起こす可能性は、０．１ｍｍ以上の異物で大きくなると考えられる。従って、筐体２０に開設された挿嵌口２００と遮蔽部２１０との間隙、並びに筐体２０内の押下室２５の底面に開設された挿通孔２５０と挿通部２１３との間隙は、０．１ｍｍ未満とすることが望ましい。また、押下室２５内に入り込んだ異物が、接点室２４内に進入することを防止するため、内壁部２５１の高さは０．１ｍｍ以上、即ち、挿嵌口２００と遮蔽部２１０の縁部との間隙より長くすることが望ましい。その他にも、押下部材２１、筐体２０等の各種部材間に生じる間隙を適切な大きさに設計することで、接点室２４内への異物の侵入を抑制することが可能となる。
【００４８】
以上のように、本願記載のマイクロスイッチ２は、防塵性が高く、操作装置１内に異物が入り込んだ場合でも、入り込んだ異物がマイクロスイッチ２の接点室２４内にまで侵入することは困難である。これにより、侵入した異物による異常、例えば、動作不良の発生を抑制することが可能である等、優れた効果を奏する。
【００４９】
なお、本願記載のマイクロスイッチ２による効果は、防塵効果だけではない。例えば、マイクロスイッチ２が備える押下部材２１は、筐体２０内部の構成を組み立てた後、筐体２０の外側から嵌め込むことができるので、筐体２０内に押下部材２１を組み込む場合と比べて組立が容易である。従って、本願記載のマイクロスイッチ２は、組立工程に関する効率化、歩留まりの向上等の効果を見込むことが可能である等、優れた効果を奏する。
【００５０】
更に、マイクロスイッチ２の押下部材２１は、押下部材２１の遮蔽部２１０の縁部に形成された外壁部２１０ｂが、挿嵌口２００に若干の間隙を開けて挿嵌され、筐体２０の前後の面にも案内溝２０１が刻設されている。これにより、押下部材２１が押圧された場合、挿通部２１３が傾くことなく、真っ直ぐに挿通孔２５０へ挿入される。従って、押下の際の操作不良及び動作不良の発生を抑制することが可能である等、優れた効果を奏する。
【００５１】
＜第２実施形態＞
第２実施形態は、第１実施形態において、押下室２５の挿通孔２５０の周囲に形成された内壁部２５１及び押下部材２１の遮蔽部２１０に形成された外壁部２１０ｂを無くした構成である。なお、以下の説明において、第１実施形態と同様の構成については、第１実施形態と同様の符号を付し、第１実施形態を参照するものとし、その説明を省略する。
【００５２】
図６は、本願記載のマイクロスイッチ２の断面及び外観の一例を示す概略斜視断面図である。図７は、本願記載のマイクロスイッチ２の断面の一例を示す概略断面図である。図６及び図７は、第２実施形態に係るマイクロスイッチ２を例示している。マイクロスイッチ２の筐体２０内には、接点室２４及び押下室２５が形成されており、押下室２５内には、押下部材２１が移動可能に配設されている。押下室２５内で上下に移動する押下部材２１の下部は、挿通孔２５０に挿通する挿通部２１３として形成されており、挿通部２１３の下端は、挿通孔２５０を挿通して接点室２４内に達している。押下部材２１の上部には、挿嵌口２００に対して若干の間隙を開けて挿嵌する板状の遮蔽部２１０が形成されている。なお、押下部材２１において、遮蔽部２１０の縁部には、第１実施形態のような外壁部２１０ｂは形成されておらず、遮蔽部２１０は、被押圧突起２１０ａ及び挿通部２１３が形成された部位を除き一定の厚みをもって形成されている。また、押下室２５内において、底面に開設された挿通孔２５０の周囲には、第１実施形態のような内壁部２５１は形成されておらず、押下室２５内の底面は、挿通孔２５０を除き平坦な面として形成されている。
【００５３】
以上のように構成された本願記載の第２実施形態に係るマイクロスイッチ２は、接点室２４の上部に押下部材２１の挿通部２１３が挿通する挿通孔２５０が開設されているが、押下部材２１の遮蔽部２１０に遮蔽されているため、挿通部２１３と挿通孔２５０との間の若干の間隙から接点室２４内に異物が進入することを防止することが可能である等、優れた効果を奏する。また、第２実施形態に係るマイクロスイッチ２は、防塵効果だけではなく、組立が容易、挿通部２１３の動作が安定等、様々な効果を奏する。
【００５４】
＜第３実施形態＞
第３実施形態は、第１実施形態において、押下室２５の挿通孔２５０の周囲に形成された内壁部２５１を無くした構成である。なお、以下の説明において、第１実施形態と同様の構成については、第１実施形態と同様の符号を付し、第１実施形態を参照するものとし、その説明を省略する。
【００５５】
図８は、本願記載のマイクロスイッチ２の断面及び外観の一例を示す概略斜視断面図である。図９は、本願記載のマイクロスイッチ２の断面の一例を示す概略断面図である。図８及び図９は、第３実施形態に係るマイクロスイッチ２を例示している。マイクロスイッチ２の筐体２０内には、接点室２４及び押下室２５が形成されており、押下室２５内には、押下部材２１が移動可能に配設されている。押下室２５内で上下に移動する押下部材２１の下部は、挿通孔２５０に挿通する挿通部２１３として形成されており、挿通部２１３の下端は、挿通孔２５０を挿通して接点室２４内に達している。押下部材２１の上部には、挿嵌口２００に対して若干の間隙を開けて挿嵌する板状の遮蔽部２１０が形成されている。また、押下部材２１において、挿嵌口２００に近接する遮蔽部２１０の縁部には、下側に向けて突出する外壁部２１０ｂが形成されている。なお、押下室２５内において、底面に開設された挿通孔２５０の周囲には、第１実施形態のような内壁部２５１は形成されておらず、押下室２５内の底面は、挿通孔２５０を除き平坦な面として形成されている。
【００５６】
以上のように構成された本願記載の第３実施形態に係るマイクロスイッチ２は、接点室２４の上部に押下部材２１の挿通部２１３が挿通する挿通孔２５０が開設されているが、押下部材２１の遮蔽部２１０に遮蔽されており、また、遮蔽部２１０の縁部に外壁部２１０ｂが形成されているため、挿通部２１３と挿通孔２５０との間の若干の間隙から接点室２４内に異物が進入することを防止することが可能である等、優れた効果を奏する。また、第３実施形態に係るマイクロスイッチ２は、防塵効果だけではなく、組立が容易、挿通部２１３の動作が安定等、様々な効果を奏する。
【００５７】
＜第４実施形態＞
第４実施形態は、第１実施形態において、押下部材２１の遮蔽部２１０に形成された外壁部２１０ｂを無くした構成である。なお、以下の説明において、第１実施形態と同様の構成については、第１実施形態と同様の符号を付し、第１実施形態を参照するものとし、その説明を省略する。
【００５８】
図１０は、本願記載のマイクロスイッチ２の断面及び外観の一例を示す概略斜視断面図である。図１１は、本願記載のマイクロスイッチ２の断面の一例を示す概略断面図である。図１０及び図１１は、第４実施形態に係るマイクロスイッチ２を例示している。マイクロスイッチ２の筐体２０内には、接点室２４及び押下室２５が形成されており、押下室２５内には、押下部材２１が移動可能に配設されている。押下室２５内で上下に移動する押下部材２１の下部は、挿通孔２５０に挿通する挿通部２１３として形成されており、挿通部２１３の下端は、挿通孔２５０を挿通して接点室２４内に達している。押下部材２１の上部には、挿嵌口２００に対して若干の間隙を開けて挿嵌する板状の遮蔽部２１０が形成されている。なお、押下部材２１において、遮蔽部２１０の縁部には、第１実施形態のような外壁部２１０ｂは形成されておらず、遮蔽部２１０は、被押圧突起２１０ａ及び挿通部２１３が形成された部位を除き一定の厚みをもって形成されている。また、押下室２５内において、底面に開設された挿通孔２５０の周囲には、上側に向けて突出する内壁部２５１が形成されており、内壁部２５１により挿通孔２５０の周囲が囲われている。
【００５９】
以上のように構成された本願記載の第２実施形態に係るマイクロスイッチ２は、接点室２４の上部に押下部材２１の挿通部２１３が挿通する挿通孔２５０が開設されているが、押下部材２１の遮蔽部２１０に遮蔽されており、また、挿通孔２５０の周囲に内壁部２５１が形成されているため、挿通部２１３と挿通孔２５０との間の若干の間隙から接点室２４内に異物が進入することを防止することが可能である等、優れた効果を奏する。また、第４実施形態に係るマイクロスイッチ２は、防塵効果だけではなく、組立が容易、挿通部２１３の動作が安定等、様々な効果を奏する。
【００６０】
以上、様々な形態を例示して説明した本願記載の操作装置１及びマイクロスイッチ２は、電気回路を開閉する接点機構２３を収容する接点室２４内への異物の侵入を防止し、異物による誤動作等の異常の発生を抑制する等、様々な効果を奏する。
【００６１】
本発明は、以上説明したそれぞれの実施形態に限定されるものではなく、他の様々な形態で実施することが可能である。そのため、上述した実施形態はあらゆる点で単なる例示に過ぎず、限定的に解釈してはならない。本発明の技術範囲は、請求の範囲によって説明するものであって、明細書本文には何ら拘束されない。更に、請求の範囲の均等範囲に属する変形及び変更は、全て本発明の範囲内のものである。
【００６２】
具体的には、前記第１実施形態乃至第４実施形態として例示したように、様々な形態に展開することが可能である。
【００６３】
また、前記実施形態では、マイクロスイッチ２を備える操作装置１として、マウスを例示したが、本発明はこれに限らず、操作に用いられるキーボード、各種押しボタン等の様々な装置を操作装置１として適用することが可能である等、様々な形態に展開することが可能である。
【符号の説明】
【００６４】
１        操作装置
１０      押下操作部
１２      信号線
２        マイクロスイッチ
２０      筐体
２００    挿嵌口
２１      押下部材
２１０    遮蔽部
２１０ｂ  外壁部
２１３    挿通部
２３      接点機構
２４      接点室
２５      押下室
２５０    挿通孔
２５１    内壁部
【図１】
2019139944.tif 000003
【図２】
2019139944.tif 000004
【図３】
2019139944.tif 000005
【図４】
2019139944.tif 000006
【図５】
2019139944.tif 000007
【図６】
2019139944.tif 000008
【図７】
2019139944.tif 000009
【図８】
2019139944.tif 000010
【図９】
2019139944.tif 000011
【図１０】
2019139944.tif 000012
【図１１】
2019139944.tif 000013